(57)【要約】【課題】ドアがわずかに開いた状態（半ドア状態）で放置されることを防止する冷蔵庫を提供する。【解決手段】ヒンジ３１ａで支持された回転式のドア３４上に所定の位置でスライド部材２８からドア閉じ方向の力を受ける受動板３４ａを設け、スライド部材２８は受動板３４ａの軌道とスライド部材２８の軌道が交差する干渉領域から外れた位置で待機し、受動板３４ａが前記干渉領域に進入した時点でスライド部材２８が動作して受動板３４ａにドア閉じ方向の力を付与する。これによって必要最小限の動作で確実にドアを閉じることができる。【選択図】　図３
2004003774.tif 000002
【特許請求の範囲】
【請求項１】
貯蔵室と、前記貯蔵室の開口面を閉塞するドアを備えた冷蔵庫において、開放されたドアを電気駆動により強制的に閉じるドア閉じ装置を備えたことを特徴とする冷蔵庫。
【請求項２】
前記ドア閉じ装置は、前記ドアが前記貯蔵室の開口面に対して所定の位置まで接近したときに前記ドアを閉じることを特徴とする請求項１に記載の冷蔵庫。
【請求項３】
前記ドア閉じ装置は、モータの駆動により移動を行うスライド部材を有し、前記スライド部材の移動を前記ドアに伝達して前記ドアを閉じることを特徴とする請求項１に記載の冷蔵庫。
【請求項４】
前記ドアはヒンジで支持された回転式ドアであり、前記ドア上に前記ドアと共に移動し所定の位置で前記スライド部材からドア閉じ方向の力を受ける受動板を設け、前記スライド部材は前記受動板の軌道と前記スライド部材の軌道が交差する干渉領域から外れた位置で待機し、前記受動板が前記干渉領域に進入した時点で前記スライド部材が移動して、前記受動板に対して前記ドアを閉じる方向の力を付与することを特徴とする請求項３に記載の冷蔵庫。
【請求項５】
前記スライド部材と前記受動部は前記ドアの鉛直方向の仮想中心線よりも前記ヒンジ寄りに配置されていることを特徴とする請求項４に記載の冷蔵庫。
【請求項６】
前記スライド部材が前記ドアを閉じる方向に移動する動作とは逆方向の動作を行わせたときに前記スライド部材と前記ドアが所定の位置で当接するような第２受動板を前記ドアに設け、前記スライド部材の動作方向を使い分けることによって前記ドアを開閉することを特徴とする請求項４に記載の冷蔵庫。
【請求項７】
前記ドアが開いていることを検知するドアセンサーと、前記ドアが開いていることを警報によって使用者に知らしめる警報手段とを備えたことを特徴とする請求項１に記載の冷蔵庫。
【請求項８】
前記警報手段からの警報を所定回数発したにも関わらず前記ドアが閉じられないときに強制的に前記ドアを閉じることを特徴とする請求項８に記載の冷蔵庫。
【発明の詳細な説明】
【０００１】
【発明の属する技術分野】
本発明は、冷蔵庫のドアがわずかに開いた状態（半開き状態）にあるときに、そのドアを強制的に閉じる冷蔵庫に関するものである。
【０００２】
【従来の技術】
近年、冷蔵庫の大型化に伴いドアの内棚への収納量が増加しており、使用者がドアを閉じる際に、ドアが自己の重みにより完全に閉じるすこし手前で停止し半開き状態となり、わずかな隙間から冷気が漏れて庫内温度を上昇させることがある。そのため、実開平５−３２９８８号公報に開示されているような警報装置を冷蔵庫に設けてドアが一定時間以上開放された場合には何らかの警報によって使用者へ知らせている。
【０００３】
【発明が解決しようとする課題】
しかしながら、警報が使用者に認識されなかった場合は、使用者が気付くまで放置された状態となる。本発明は従来の課題を解決するものであり、ドアがわずかに開いた状態（半開き状態）で放置されることを防止する冷蔵庫を提供することを目的とする。
【０００４】
【課題を解決するための手段】
本発明の請求項１に記載の発明は、開放されたドアを電気駆動により強制的に閉じるドア閉じ装置を備えた冷蔵庫であり、使用者の不注意でドアが半開き状態で放置されても、使用者に代わって確実にドアを閉じることができる。
【０００５】
次に請求項２に記載の発明は、請求項１に記載の発明において、前記ドア閉じ装置は、ドアが貯蔵室の開口面に対して所定の位置まで接近したときに前記ドアを閉じるものであり、ドアの全開状態から閉じる必要はなく、通常は使用者がドアを閉じ方向に押出したときの慣性力で全閉手前まで戻るものであり、所定の位置まで戻ってから閉じる動作を行うことで、必要最小限の動作で確実にドアを閉じることができる。
【０００６】
次に請求項３に記載の発明は、請求項１に記載の発明において、前記ドア閉じ装置は、モータの駆動により移動を行うスライド部材を有し、前記スライド部材の移動を前記ドアに伝達して閉じるものである。これによって、ドアが閉じるまでモータを駆動すればよいので、確実にドアを閉じることができる。
【０００７】
次に請求項４に記載の発明は、請求項３に記載の発明において、ヒンジで支持された回転式のドア上に所定の位置で前記スライド部材からドア閉じ方向の力を受ける受動板を設け、前記スライド部材は前記受動板の軌道と前記スライド部材の軌道が交差する干渉領域から外れた位置で待機し、前記受動板が前記干渉領域に進入した時点で前記スライド部材が移動して前記受動板にドア閉じ方向の力を付与するものである。これによって、ドアを閉じるときにのみ適切な位置へスライド部材が移動するので、待機時にドアの開動作を阻害することがなく動作の信頼性が向上する。
【０００８】
次に請求項５に記載の発明は、前記スライド部材と前記受動板がドアの鉛直方向の仮想中心線よりも前記ヒンジ寄りに配置されているものであり、ヒンジに対する受動板の回動半径が小さくなり、それだけスライド部材の移動量を最小限にできることから、モータ駆動時の電力消費を抑制できる。
【０００９】
次に請求項６に記載の発明は、請求項４に記載の発明において、前記スライド部材が前記ドアを閉じる方向に移動する動作とは逆方向の動作を行わせたときに前記スライド部材と前記ドアが所定の位置で当接するような第２受動板を前記ドアに設け、前記スライド部材の動作方向を使い分けることによって前記ドアを開閉するドア閉じ装置を備えたものであり、スライド部材を一方の方向に動作させると第２受動板と当接しドアを押し開けるので、スライド部材の動作方向を切り換えることでドア閉じとドア開放を行えることから利便性が向上する。
【００１０】
次に請求項７に記載の発明は、請求項１に記載の発明において、前記ドアが開いていることを検知するドアセンサーと、前記ドアが開いていることを警報によって使用者に知らしめる警報手段を備えたものであり、使用者が貯蔵室へ食品等を収納するために所定時間ドアを開放しているときは、ドア閉じ装置を動作させずに警報だけに留めることができる。
【００１１】
次に請求項８に記載の発明は、請求項７に記載の発明において、前記警報手段からの警報を所定回数発したにも関わらず前記ドアが閉じられないときに強制的に前記ドアを閉じるものであり、使用者の食品収納によるドア開放でないことを警報の回数で判定し強制的にドアを閉じることで無駄なドア開きを防止できる。
【００１２】
【発明の実施の形態】
以下、本発明による冷蔵庫の実施の形態について、図面を参照しながら説明する。
【００１３】
（実施の形態１）
図１は本発明の実施の形態１による冷蔵庫のドア閉じ装置の外形を示す斜視図である。図２は同実施の形態の冷蔵庫におけるドア閉じ装置の内部構造を示す斜視図である。図３は同実施の形態の冷蔵庫を示す斜視図である。図４の（ａ）〜（ｆ）は同実施の形態の冷蔵庫におけるドア全閉までのドア周辺を示す要部平面図であり、（ａ）は同実施の形態の冷蔵庫におけるドア全閉から１５°手前のドア周辺を示す要部平面図、（ｂ）はドア全閉から１０°手前のドア周辺を示す要部平面図、（ｃ）はドア全閉から５°手前のドア周辺を示す要部平面図、（ｄ）はスライド部材が受動部を押すときのドア周辺を示す要部平面図、（ｅ）はドアが全閉した状態を示すドア周辺を示す要部平面図、（ｆ）はスライド部材が待機位置へ復帰したときのドア周辺を示す要部平面図である。図５は制御部を示すブロック図である。
【００１４】
図１、図２、図３、図４（ａ）〜（ｆ）において、１１は歯車機構であり、モータ１２を駆動源とする。１３は３つの２段歯車を同じ回転軸上に配置した第１歯車群であり、その２段歯車１４、１５、１６はピッチ円直径の小さい小歯車１４ａ、１５ａ、１６ａとピッチ円直径の大きい大歯車１４ｂ、１５ｂ、１６ｂから成り、大歯車１４ｂ、１５ｂ、１６ｂをモータ１２側に向けて並んでいる。
【００１５】
１７は第１歯車群１３に隣接して３つの２段歯車を同じ回転軸上に配置した第２歯車群であり、その２段歯車１８、１９、２０はピッチ円直径の小さい小歯車１８ａ、１９ａ、２０ａとピッチ円直径の大きい大歯車１８ｂ、１９ｂ、２０ｂから成り、大歯車１８ｂ、１９ｂ、２０ｂをモータ１２側に向けて並んでいる。
【００１６】
第１歯車群１３の２段歯車１４、１５、１６と、第２歯車群１７の２段歯車１８、１９、２０は全て同一歯車である。
【００１７】
２１は第１歯車群１３の２段歯車１４、１５、１６の回転軸となる第１車軸であり、一端は２段歯車１６の小歯車１６ａの端面から突出しているが、他端は２段歯車１４の貫通穴の途中までしか入っていない。なぜなら、２段歯車１４の大歯車１４ｂの端面からはモータ１２の出力軸１２ａが圧入されるからである。
【００１８】
２２は第２歯車群１７の２段歯車１８、１９、２０の回転軸となる第２車軸であり、一端は２段歯車１８の大歯車１８ｂの端面から突出し、他端は２段歯車２０の小歯車２０ａの端面から突出している。
【００１９】
２３はモータ１２、第１歯車群１３、第２歯車群１７を収納するケースであり、下ケース２４と上ケース２５から成り、下ケース２４と上ケース２５には互いに引っ掛かり合う爪２４ａとフック２５ａが設けられており、これによって下ケース２４と上ケース２５が締結される。
【００２０】
下ケース２４の内部にはモータ１２を保持するモータ保持壁２４ｂと、モータ１２の出力軸１２ａを支持する凹溝状の軸受２４ｃと、第１車軸２１を支持する凹溝状の軸受２４ｄと、第２車軸２２を支持する凹溝状の軸受２４ｅが設けられている。
【００２１】
上ケース２５には、下ケース２４の各軸受に対応して、モータ１２を押さえる押し部２５ｂ（図示せず）と、軸受２４ｃの開口側を閉じる閉塞部２５ｃ（図示せず）と、軸受２４ｄの開口側を閉じる閉塞部２５ｄ（図示せず）と、軸受２４ｅの開口側を閉じる閉塞部２５ｅ（図示せず）を設けている。
【００２２】
２６は歯車の回転を直進運動に変換するスライド機構であり、出力歯車２７とスライド部材２８から成る。
【００２３】
出力歯車２７は第２歯車群の２段ギア２０の大歯車２０ｂとかみ合うように隣接して設けられ、中心を貫通する雌ネジが形成されている。
【００２４】
スライド部材２８は出力歯車２７の雌ネジと螺合する雄ネジ２８ａが、ほぼ全長にわたって形成されている。また、スライド部材２８の一端は雄ネジ２８ａの外径よりも大きい径の円板状の作用部２８ｂが一体に成形されており、他端は直方体形状のガイド２８ｃが連結されている。
【００２５】
スライド部材２８は、ケース２３の下ケース２４に予め設けられた２つの凹溝状の軸受２９に保持され、作用部２８ｂが下ケース２４の外側になるように配置されている。
【００２６】
また、ガイド２８ｃは下ケース２４のモータ１２を保持する保持壁２４ｂの一側面に接触し摺動する。
【００２７】
上ケース２５には、下ケース２４の軸受２９の開口側を閉塞する閉塞部２５ｆを設けている。（図１）
したがって、歯車機構１１とスライド機構２６とによってドア閉じ装置３０が構成されているのである。
【００２８】
図３において、３１はドア閉じ装置３０を備えた冷蔵庫であり、冷蔵庫３１は食品等を収納する貯蔵室３２と、貯蔵室３２を断熱する断熱壁３３と、貯蔵室３２に対してヒンジ３１ａによって取付けられた回転式のドア３４から成り、ドア閉じ装置３０は貯蔵室３２の断熱壁３３上面に配置されている。
【００２９】
ドア３４には、ドア閉じ装置３０とスライド部材２８の作用部２８ｂとの間に位置するように受動板３４ａが設けられ、受動板３４ａはドア３４がヒンジ３１ａの軸を中心に回転した時に軌道Ａに沿って移動する。（図４）
スライド部材２８の作用部２８ｂは、待機時は受動板３４ａの軌道Ａと作用部２８ｂの軌道Ｂが交差する干渉領域から外れた位置に有り、ドアを開けても受動板３４ａと作用部２８ｂがぶつかることはない。
【００３０】
図４において、３５は貯蔵室３２の開口面３２ａとドア３４をマグネットによって密着させるシール部材であり、ドア３４の貯蔵室３２と対面する側に設けられている。
【００３１】
３６は貯蔵室３２の断熱壁３３のコーナーに埋め込まれたドアセンサーであり、ドア３４が開くとドア開信号を後述の制御部３７へ入力する。
【００３２】
図５において、３７は制御部であり、マイコン３８がドアセンサー３６からのドア開信号を受けてタイマー３９を作動させ、所定時間が経過した時点で警報手段４０を介して、使用者へドアが開いていることを知らしめる。本実施の形態では、警報手段４０の動作回数を数えるカウンター４１を備え、所定時間１分間として一分毎に３回警報を出力する。
【００３３】
通常、使用者が食品等を出し入れするのに要する時間としては、１分間程度で十分であり、一分毎の警報が３回も出力されても、ドア開信号が制御部３７へ入力されているときは、使用者の不注意による半ドア状態とみなして良く、ドア閉じ装置３０により強制的にドア３４を閉じるのが妥当である。
【００３４】
以上のように構成された冷蔵庫について、その動作を説明する。
【００３５】
モータ１２が駆動し出力軸１２ａが回転すると、出力軸１２ａが圧入されている第１歯車群１３の２段歯車１４が回転し、小歯車１４ａから第２歯車群１７の２段歯車１８の大歯車１８ｂへ回転が伝達され、小歯車１８ａが回転する。
【００３６】
２段歯車１８の小歯車１８ａの回転は、第１歯車群１３の２段歯車１５の大歯車１５ｂへ伝達され、小歯車１５ａが回転する。
【００３７】
２段歯車１５の小歯車１５ａの回転は、第２歯車群１７の２段歯車１９の大歯車１９ｂへ伝達され、小歯車１９ａが回転する。
【００３８】
２段歯車１９の小歯車１９ａの回転は、第１歯車群１３の２段歯車１６の大歯車１６ｂへ伝達され、小歯車１６ａが回転する。
【００３９】
２段歯車１６の小歯車１６ａの回転は、第２歯車群１７の２段歯車２０の大歯車２０ｂへ伝達される。
【００４０】
そして、２段歯車２０の大歯車２０ｂの回転は、出力歯車２７に伝達され雌ネジが回転する。
【００４１】
出力歯車２７は端面をスライド部材２８の軸受２９の側面に挟み込まれており、かつスライド部材２８は端部にガイド２８ｃが連結されているため、雌ネジの回転によってスライド部材２８の雄ネジ２８ａの方が前進と後退をするようになる。
【００４２】
本実施の形態ではモータ１２を出力軸１２ａ側からみて時計方向に回転（正転）させたとき、スライド部材２８はケース２３から飛び出す方向に移動（前進）し、モータ１２を出力軸１２ａ側からみて反時計方向に回転（逆転）させたとき、スライド部材２８はケース２３の内部へ移動（後退）する。
【００４３】
開放されていたドア３４が使用者によって閉じ方向に押されると、ドア３４はヒンジ３１ａの軸回りに回転し慣性力によって完全に閉じる僅か手前まで接近する。受動板３４ａもドア３４の回転に伴って元の位置に戻ろうとし、図４（ａ）〜図４（ｂ）に示すように軌道Ａに沿って移動しスライド部材２８の作用部２８ｂに接近し、ドア３４全閉手前５°に至って作用部２８ｂの軌道Ｂ上に入り込む（図４（ｃ）参照）。
【００４４】
この時点でモータ１２を逆転するとスライド部材２８の作動部２８ｂが後退し、作動部２８ｂが受動板３４ａに当たり（図４（ｄ）参照）、受動板をドア閉じ方向に引き込みドア３４が閉じる方向に付勢される。（図４（ｅ）参照）。
【００４５】
本実施の形態では、ドア３４がドア全閉手前５°に至ってからスライド部材２８を移動させることで、スライド部材２８の移動距離を短く、すなわちモータ１２の駆動時間を短くし、モータ１２の駆動による無駄な電力消費を抑制し省エネを図っている。
【００４６】
また、受動板３４ａはドア３４の鉛直方向の中心線に対してヒンジ３１ａ側にあるので、ドア３４がヒンジ３１ａの軸回りに回転したときの受動板３４ａの軌跡Ａも短く、それだけ受動板３４ａを引き込むスライド部材２８の移動距離が短くなり、この点からもモータ１２の駆動による無駄な電力消費を抑制することができている。
【００４７】
モータ１２の回転をドア３４が完全に閉じるまで継続させれば、ドア３４は確実に閉じられるので、ドア３４が閉じたことを認識する（例えばドアセンサーの信号が開信号から閉信号に変わる）と、モータ１２を一旦回転を停止させた後、今度は正転させて作用部２８ｂを待機位置へ復帰させる。（図４（ｆ）参照）
この作用部２８ｂの待機位置は、ドア３４をヒンジ３１ａの軸回りに回転させたときに受動板３４ａが画く軌道Ａから外れるように設定しているので、ドア３４を開けたときに受動板３４ａが作用部２８ｂと衝突することはなく、動作の信頼性は高い。
【００４８】
なお、本実施の形態では、ドア３４が開放されてから１分毎に警報手段４０によって使用者へドア３４が開いていることを知らしめるようにしているので、使用者が気付けばドア閉じ装置３０を作動させる必要が無く、ここでもモータ１２の駆動による無駄な電力消費を抑制することができる。
【００４９】
そして、この１分毎の警報を３回行ってもドアが閉じられない場合は、使用者が半ドアに気付いていないと判断し、ドア閉じ装置３０を動作させて、すなわちスライド部材２８を動作させて受動板３４ａを引き込みドア３４を確実に閉じるのである。
【００５０】
以上のように、ドア３４上にドア３４と共に移動し所定の位置でドア閉じ装置３０のスライド部材２８からドア閉じ方向の力を受ける受動板３４ａを設け、スライド部材２８は受動板３４ａの軌道Ａとスライド部材２８の軌道Ｂが交差する干渉領域から外れた位置で待機し、受動板３４ａが干渉領域に進入した時点でスライド部材が動作して受動板３４ａへドア閉じ方向の力を付与する。これによって、ドア３４が完全に閉じる手前で停止し半開き状態になっても、スライド部材が確実にドア３４の受動板３４ａを引き込んでドア３４を閉じるので、ドア３４が半開き状態で放置されることがなくなり、使用者の不注意による冷蔵庫庫内の温度上昇を防止することができる。
【００５１】
また、図６は同実施の形態の冷蔵庫におけるドア閉じ装置の他の使い方を示す斜視図であり、第２のドア閉じ装置３０を断熱壁３３内に配置し、スライド部材２８がドア３４を閉じる方向に移動する動作とは逆方向の動作を行わせたときにスライド部材２８と所定の位置で当接する第２受動板４２をドア３４の内側に設け、スライド部材２８の動作方向を使い分けることによってドア３４を開閉するようにしたものである。
【００５２】
ドア３４を開放したい場合は、モータ１２を正転させると、スライド部材２８の作用部２８ｂが冷蔵庫３２のドア３４の第２受動板４１を突き押す。スライド部材２８がドア３４を押す距離は、シール部材３５が貯蔵室３２の開口面３２ａから離脱するのに十分な距離となるように２０ｍｍ以上が好ましい。本実施の形態におけるスライド部材２８はドアを３０ｍｍ押すように、モータ１２へ１秒間の通電するように設定している。
【００５３】
スライド部材２８がドア３４を開放するのに十分な距離を移動したとき、すなわちモータ１２へ１秒間通電が完了すると、モータ１２は一旦停止し、今度はモータ１２の逆転を開始し飛び出したスライド部材２８を後退させて元の位置へ復帰させる。
【００５４】
そして、使用者がドア３４を閉じ方向に押してドア３４が全閉手前５°に位置まで接近し、仮に停止して半ドア状態が続くと、ヒンジ３１ａ側のドア閉じ装置３０が受動板３４ａを引き込みドア３４を閉じさせるのである。
【００５５】
すなわちドア閉じ装置３０を２つ使用してドア３４の開閉を行うことができるので、ドア開とドア閉のためにそれぞれ異なる装置を備える必要もなく合理的である。
【００５６】
また、図７は同実施の形態の冷蔵庫におけるドア閉じ装置のさらに別の使い方を示す斜視図であり、スライド部材２８の作動部２８ｂの突出方向前方に第２受動板４２を設けることで、スライド部材２８が第２受動板４２をドア開方向に押せばドアが開放される。そして、ドア３４が閉じる手前まで接近してくれば、先に説明した動作によって、スライド部材２８を引き込む方向へ移動させれば受動板３４ａを引き込みドア３４を閉じることとなる。すなわち、一つのドア閉じ装置３０だけでドア３４の開閉が可能となる。
【００５７】
【発明の効果】
以上のように請求項１に記載の発明は、開放されたドアを電気駆動により強制的に閉じるドア閉じ装置を備えた冷蔵庫であり、使用者の不注意でドアが半開き状態で放置されても、使用者に代わって確実にドアを閉じることができる。
【００５８】
また、請求項２に記載の発明は、請求項１に記載の発明において、ドア閉じ装置は、ドアが貯蔵室の開口面に対して所定の位置まで接近したときに前記ドアを閉じるものであり、必要最小限の動作でドアを閉じることができる。その上、装置が大型化せず省スペースとなる。
【００５９】
また、請求項３に記載の発明は、請求項１に記載の発明において、ドア閉じ装置は、モータの駆動により移動を行うスライド部材を有し、前記スライド部材の移動を前記ドアに伝達してドアを閉じるものであり、ドアが閉じるまでモータを駆動すればよいので、確実にドアを閉じることができる。
【００６０】
また、請求項４に記載の発明は、請求項３に記載の発明において、ヒンジで支持された回転式のドア上に所定の位置でスライド部材からドア閉じ方向の力を受ける受動板を設け、前記スライド部材は前記受動板の軌道と前記スライド部材の軌道が交差する干渉領域から外れた位置で待機し、前記受動板が前記干渉領域に進入した時点で前記スライド部材が動作して前記受動板にドア閉じ方向の力を付与するものであり、ドアを閉じるときにのみ適切な位置へスライド部材が移動するので、待機時にドアの開動作を阻害することがなく動作の信頼性が向上する。
【００６１】
また請求項５に記載の発明は、請求項４に記載の発明において、スライド部材と受動部がドアの鉛直方向の仮想中心線よりもヒンジ寄りに配置されているものであり、スライド部材の移動量を最小限にできるので、モータ駆動時の電力消費を抑制できる。
【００６２】
また、請求項６に記載の発明は、請求項４に記載の発明において、スライド部材がドアを閉じる方向に移動する動作とは逆方向の動作を行わせたときに前記スライド部材と所定の位置で当接するような第２受動板を前記ドアに設け、前記スライド部材の動作方向を使い分けることによって前記ドアを開閉するドア閉じ装置を備えたものであり、動作方向を切り換えることでドア閉じとドア開放の両方を行えるので、利便性が向上する。
【００６３】
また、請求項７に記載の発明は、請求項１に記載の発明において、ドアが開いていることを検知するドアセンサーと、前記ドアが開いていることを警報によって使用者に知らしめる警報手段を備えたものであり、使用者が貯蔵室へ食品等を収納するために所定時間ドアを開放しているときは、ドア閉じ装置を動作させずに警報だけに留めることができる。
【００６４】
また、請求項８に記載の発明は、請求項７に記載の発明において、警報手段からの警報を所定回数発したにも関わらずドアが閉じられないときに強制的に前記ドアを閉じるものであり、使用者の食品収納によるドア開放でないことを警報の回数で判定して強制的にドアを閉じることで無駄なドア開きを防止できる。
【図面の簡単な説明】
【図１】本発明の実施の形態１による冷蔵庫のドア閉じ装置の外形を示す斜視図
【図２】同実施の形態の冷蔵庫におけるドア閉じ装置の内部構造を示す斜視図
【図３】同実施の形態の冷蔵庫を示す斜視図
【図４】同実施の形態の冷蔵庫における閉扉動作を示す要部平面図
【図５】同実施の形態の冷蔵庫における制御部のブロック図
【図６】同実施の形態の冷蔵庫におけるドア閉じ装置の他の使い方を示す斜視図
【図７】同実施の形態の冷蔵庫におけるドア閉じ装置のさらに別の使い方を示す斜視図
【符号の説明】
１２　モータ
２８　スライド部材
３０　ドア閉じ装置
３１　冷蔵庫
３１ａ　ヒンジ
３２　貯蔵室
３２ａ　開口面
３４　ドア
３４ａ　受動板
３６　ドアセンサー
３７　制御部
４０　警報手段
４２　第２受動板
【図１】
2004003774.tif 000003
【図２】
2004003774.tif 000004
【図３】
2004003774.tif 000005
【図４】
2004003774.tif 000006
【図５】
2004003774.tif 000007
【図６】
2004003774.tif 000008
【図７】
2004003774.tif 000009